(57)【特許請求の範囲】
【請求項１】
飲料抽出部(1)とガス供給部(2)を備え、
該飲料抽出部(1)はキャップ(3)、サイホン管(4)、開閉弁(5)及び抽出口(6)を有し、
該キャップ(3)は容器(7)の開口部(8)に対する取付部(9)、逆止弁(10)付きガス導入路(11)及び飲料導出路(12)を有し、
該サイホン管(4)は上端部が該飲料導出路(12)に導結されると共に管路型でかつ分解型の減圧抽出部(13)を備え、
該減圧抽出部(13)はケース(51)と中子(52)を有し、該ケース(51)は閉環状の内壁面(53)を備え、軸線上の一端に開放口(57)を有し、他端が端壁(58)で閉塞され、該端壁(58)に通孔(59)が開口し、該開放口(57)側で周壁の一部が軸線方向へ突き出た一対の耳(65)を備え、該耳(65)にだぼ穴(66）が穿たれ、該中子(52)は該ケース(51)の該内壁面(53)に密嵌する外壁面(54)を有し、該開放口(57)を通して該ケース(51)に嵌合され、該ケース(51)との嵌合時に該耳(65)を弾発して該だぼ穴(66)に嵌合するだぼ(67)を備えており、該ケース(51)の内壁面(53)と該中子(52)の該外壁面(54)の少なくとも一方に螺旋状の溝(55)が形成され、該溝(55)は該ケース(51)と該中子(52)を密嵌した状態でその両端が該ケース(51)の外部と連通して流体通路(56)を現出するようになっており、
該開閉弁(5)は該飲料導出路(12)内の弁座(15)と弁体(16)を有し、
該抽出口(6)は一端が該キャップ(3)外に開口し他端が該飲料導出路(12)と該弁座(15)の下流側で連通し、
該ガス供給部(2)はそのガス流出口(37)が該キャップ(3)の該ガス導入路(11)と導通するようになっている
ことを特徴とする炭酸飲料抽出器。
【請求項２】
該ケース(51)と該中子(52)は、該内壁面(53)と外壁面(54)が両者を嵌合する方向に向かって縮径するテーパー面(61)(62)に形成され、かつ両者の嵌合時点で相対する該ケース(51)の該端壁(58)と該中子(52)の端面(63)間に隙間(64)が形成されるようになっている請求項１に記載の炭酸飲料抽出器。
【請求項３】
該ケース(51)と該中子(52)の少なくとも一方が弾性材で構成されている請求項１又は２に記載の炭酸飲料抽出器。
【請求項４】
該中子(52)は該ケース(51)に対する嵌合方向と反対側の端部にフランジ(68)を備え、該フランジ(68)は該中子(52)及び該だぼ(67)の両軸線を含む平面上に該耳(65)と係合するための切欠(69)を備えている請求項１、２又は３に記載の炭酸飲料抽出器。
【請求項５】
該ケース(51)はシール材(71)を介して該開放口(57)を気密に閉塞自在の蓋(72)を有し、該溝(55)は該中子(52)に設けられ、該溝(55)の一端は該ケース(51)の該通孔(59)に連通し、他端は該蓋(72)の周壁(73)の内面に設けられた環状溝(74)に連通し、該環状溝(74)は該周壁(73)に貫設した通孔(75)と連通し、該サイホン管(4)の中間に介在されている請求項１に記載の炭酸飲料抽出器。
【発明の詳細な説明】
【０００１】
【発明の属する技術分野】
本発明は炭酸飲料抽出器、殊に内容積が１０cc程度の炭酸ガスカートリッジのガス圧を利用して容器内の炭酸飲料を、所謂ガス抜け作用を起こさせずに、外部へ抽出する型式のものの改良に関する。
【０００２】
【従来の技術】
本件出願人は先に特開平７−３５９５４号で炭酸ガスカートリッジが着脱自在のキャップを容器に装着して炭酸飲料を炭酸ガスの圧力で容器外へ抽出する型式の炭酸飲料抽出器を提案している。
また、本件出願人は同じく特願平１０−２１１７３６号で、炭酸飲料を炭酸ガスの圧力で容器外へ抽出する型式の炭酸飲料抽出器において、不使用時にガス供給部を容器から取り外すことにより、容器を倒した状態で家庭の冷蔵庫にも納められるようにした発明を提案している。
炭酸飲料抽出器は飲料抽出時の発泡を防ぐために、抽出圧力を制御する減圧手段を必要とする。一般的には管路の長さを適当に取り、その管路抵抗により減圧するか、ＵＳ  ＰＡＴ  ２８９９１７０のように減圧器を構成して減圧制御し、抽出を行っている。上記のいずれの場合にも、発泡を防ぐための減圧手段が設けられている。
【０００３】
【発明が解決しようとする課題】
飲料抽出時の発泡防止を管路抵抗による減圧でする場合、構造が簡単になるので制御は確実であるが、その構造から飲料通路を確実に洗浄することは難しくなってしまう。
また、減圧器を使用する場合、この減圧器は分離できる構造となっているため、飲料通路の洗浄は確実に行うことができるが、構造上飲料通路の隙間は非常に狭く、流量を正確に制御するのが大変困難となっている。
本発明は、減圧抽出部に管状の流路を採用して制御の容易さでは管路型と同様にし、更に減圧抽出部に分解構成を採用して洗浄の可能性の点で減圧器型と同様にして、これらの課題を解決することを意図するものである。
【０００４】
【課題を解決するための手段】
本発明にかかる炭酸飲料抽出器は飲料抽出部とガス供給部を備えている。該飲料抽出部はキャップ、サイホン管、開閉弁及び抽出口を有している。該キャップは容器の開口部に対する取付部、逆止弁付きガス導入路及び飲料導出路を有している。該サイホン管は上端部が該飲料導出路に導結されると共に管路型でかつ分解型の減圧抽出部を備えている。
該減圧抽出部はケースと中子を有している。該ケースは閉環状の内壁面を備え、軸線上の一端に開放口を有し、他端が端壁で閉塞され、該端壁に通孔が開口し、該開放口側で周壁の一部が軸線方向へ突き出た一対の耳を備え、該耳にだぼ穴が穿たれている。また該中子は該ケースの内壁面に密嵌する外壁面を有し、該開放口を通して該ケースに嵌合され、該ケースとの嵌合時に該耳を弾発して該だぼ穴に嵌合するだぼを備えている。そして、該ケースの内壁面と該中子の該外壁面の少なくとも一方に螺旋状の溝が形成され、該溝は該ケースと該中子を密嵌した状態でその両端が該ケースの外部と連通して流体通路を現出するようになっている。
該開閉弁は該飲料導出路内の弁座と弁体を有している。該抽出口は一端が該キャップ外に開口し、他端が該飲料導出路と該弁座の下流側で連通している。
そして、該ガス供給部はそのガス流出口が該キャップの該ガス導入路と導通するようになっている。
【０００５】
本発明抽出器の飲料抽出部のサイホン管を炭酸飲料が入った容器の開口部を通してこの容器に入れ、キャップを開口部にその取付部で取付ける。一般的にこの取付部はねじとなっているが、クリック機構等のワンタッチ型でもよい。
【０００６】
また、ガス供給部の取付部にガスが充填されたガスカートリッジを取付ける。このカートリッジの容積は１０cc程度のもので、ガスはＣＯ2ガスが一般的である。このカートリッジは取付完了時点で開栓部により開栓される。この開栓部は、カートリッジが封板で密封される型式の場合は穿針型で、再充填型封止機構型の場合は押し棒型となる。
【０００７】
開栓されたカートリッジから高圧ガスが流出し、ガス取出部を通って減圧部で減圧され、ガス流出口へ流れる。このガス流出口に自閉弁を配設しておけば、ガスはこの自閉弁により流出を阻止されるので、ガス供給部と飲料抽出部を分離型とすることもできる。
【０００８】
容器内の圧力がこの減圧部で減圧された圧力より低いときはガスがガス導入路を通って容器内に入り、炭酸飲料の表面を加圧する。
【０００９】
分離型の場合、ガス導入路に逆止弁を設けておけば、加圧時にガス流出口をガス導入路と分離した際に、容器内ガスの流出を防ぐ。また、ガス導入路の外端を蓋で閉塞するようにすると、異物の侵入を防げ、ガス抜け予防にもある程度役立つ。容器内の圧力と減圧部での圧力が均衡するとカートリッジからのガスの流出は止む。
【００１０】
炭酸飲料を取出したいときは、抽出口に容れ物、例えばコップを当てがい開閉弁を開放する。抽出口にノズルを接続した場合はこのノズルの先端に容れ物を当てがう。開閉弁の操作には例えばレバー、押し釦又はネジ棒が採用される。開閉弁の開放により飲料導出路が開通する。そのため、容器内ガスの圧力で表面を圧下された炭酸飲料は管路型でかつ分解型の減圧抽出部を通ってサイホン管に流れる。
【００１１】
この場合、螺旋状の溝が炭酸飲料の通路となり、この溝はケースと中子を嵌合するだけで両者の内外壁面間に形成されるので、流路断面は常に一定となり、正確な流量制御が可能となる。
この減圧抽出部を通った炭酸飲料はサイホン管の内部を上昇し、飲料導出路を通って抽出口から容れ物に抽出される。
開閉弁を閉じれば、飲料導出路が閉止されて飲料の抽出が止む。
【００１２】
飲料の抽出により容器内の圧力がガス供給部の減圧部内の圧力より低くなると、減圧部よりガスがガス導入路を通って容器内に流入する。そして、この流入は両圧力がバランスするまで続く。
【００１３】
飲料の抽出を終えて容器が空になった場合は、飲料抽出部の減圧抽出部を分解し、これを洗浄すれば衛生的となる。
【００１４】
飲料を満たした容器を用意してガス供給部と飲料抽出部をこの容器に取付ければ、前回と同様にして炭酸飲料を抽出できる。
【００１５】
該ケースは軸線上の一端に開放口を有し、他端が端壁で閉塞され、該端壁に通孔が開口し、該中子は該開放口を通して該ケースに嵌合されているので、中子をケースの一端の開放口からこのケースに嵌合するだけで容器内から減圧抽出部を通ってサイホン管に通じる飲料の通路が開通できる。
【００１６】
該ケースは該開放口側で周壁の一部が軸線方向へ突き出た一対の耳を備え、該耳にだぼ穴が穿たれ、該中子は該ケースとの嵌合時に該耳を弾発して該だぼ穴に嵌合するだぼを備えているので、中子とケースはだぼとだぼ穴の弾発係合により一体化され、供用中に両者が離脱することがない。
【００１７】
該ケースと該中子は、該内壁面と外壁面が両者を嵌合する方向に向かって縮径するテーパー面に形成され、かつ両者の嵌合時点で相対する該ケースの該端壁と該中子の端面間に隙間が形成されるようになっていてもよい。
この場合、減圧抽出部の作動中、炭酸飲料の入口と出口間に発生する圧力差が中子をケース内へ押し込むので、両テーパー面が圧着して隙間が発生せず、正確な流量制御が可能となる。
【００１８】
該ケースと該中子の少なくとも一方が弾性材で構成されていてもよい。
この場合、該ケースの該内壁面と該中子の該外壁面同士の密着性が高まり、流量制御が一層正確となる。
【００１９】
該中子は該ケースに対する嵌合方向と反対側の端部にフランジを備え、該フランジは該中子及び該だぼの両軸線を含む平面上に該耳と係合するための切欠を備えていてもよい。
この場合、中子の挿脱をこのフランジに指をかけて行え、中子のだぼとケースのだぼ穴の係合も耳をフランジの切欠に嵌合するだけで行える。
【００２０】
該ケースはシール材を介して該開放口を気密に閉塞自在の蓋を有し、該溝は該中子に設けられ、該溝の一端は該ケースの該通孔に連通し、他端は該蓋の周壁の内面に設けられた環状溝に連通し、該環状溝は該周壁に貫設した通孔と連通していてもよい。
この場合、中子をケースに入れて蓋で押さえるだけで、中子とケースの相対位置関係は簡単に一定に保たれて流体通路も確保され、特別の位置合わせは不要である。
【００２１】
【発明実施の形態】
１は飲料抽出部、２はガス供給部である。
飲料抽出部１はキャップ３、サイホン管４、開閉弁５及び抽出口６を有している。
【００２２】
キャップ３は容器７の開口部８に対する取付部９、弾性の逆止弁１０付きガス導入路１１及び飲料導出路１２を有している。このサイホン管４は上端部が飲料導出路１２に導結され、下端に管路型でかつ分離型の減圧抽出部１３を備えている。飲料導出路１２はキャップ３の頂部１４に、その内外に貫通して設けられている。
【００２３】
減圧抽出部１３はケース５１と中子５２を有し、ケース５１は円筒状の内壁面５３を備え、中子５２はケース５１の内壁面５３に密嵌する外壁面５４を有している。そして、ケース５１の内壁面５３と中子５２の外壁面５４の少なくとも一方、図示の場合は中子５２の外壁面５４、に螺旋状の溝５５が形成される。この溝５５はケース５１と中子５２を密嵌した状態でその両端がケース５１の外部と連通して流体通路５６を現出するようになっている。
【００２４】
開閉弁５は飲料導出路１２内の弁座１５と弁体１６を有している。弁体１６はキャップ３から上方へ突出し、ピン１７によってレバー１８に連結される。このレバー１８は弁体１６を閉位置又は開位置に保つ各別の保持面１９と２０を備えている。また弁体１６とキャップ３の間に弁体１６を閉位置に戻そうとするスプリング２１が介装される。
【００２５】
抽出口６は一端がキャップ３外に開口してノズル２２が接続され、他端が飲料導出路１２と弁座１５の下流側で連通している。
【００２６】
ガス供給部２は本体３１、ガスカートリッジ３２の取付部３３、開栓部３４、ガス取出部３５、減圧部３６及びガス流出口３７を有する通常型で、このガス流出口３７に自閉弁３８が配設されている。この自閉弁３８はガス供給部２と飲料抽出部１が分離型の場合、分離時にガス流出口３７を常に閉止するようになっている。
そして、このガス供給部２はガス流出口３７がキャップ３のガス導入路１１と導通するようになっている。
【００２７】
図示の抽出器は、減圧抽出部１３を備えたサイホン管４を炭酸飲料の入った容器７に入れて、飲料抽出部１のキャップ３をこの容器７の開口部８に取付部９で気密に取付ける。図示の例では、このキャップ３は環状シール部材３９を介して開口部８に取付けられ、ガスシールがなされる。
【００２８】
ガス導入路１１はキャップ３の頂部１４に貫設され、キャップ３内では筒部４１で囲まれている。この筒部４１の外周に下端を閉塞した弾性の逆止弁１０が圧嵌している。この逆止弁１０は下端に割れ目４２が形成されており、ガス導入路１１に外部から規定された圧力がかかるとこの割れ目４２が開いて外部から容器７の内部へガスを流し、圧力がこの規定値以下になるとこの割れ目４２が閉じて容器７の内部のガスが外部へ流出するのを阻止する。
【００２９】
この割れ目４２の替りに、筒部４１の側面に孔をあけて下端を閉塞し、弾性筒体をこの筒部４１に嵌め込んでこの孔を塞ぐようにしてもよい。
【００３０】
次に、ガス供給部２ではガスカートリッジ３２をその取付部３３に取付ける。ガスカートリッジ３２は開栓部３４で開栓され、圧力ガスがガス取出部３５に出て減圧部３６で減圧される。減圧されたガスがガス流出口３７を通って飲料抽出部１のガス導入路１１に入り、容器７に流れ込む。そして、容器７内の圧力と減圧されたガスの圧力が均衡するとガスの流れは停止する。
【００３１】
容器７内の炭酸飲料はその液面にこのガス圧がかかるので、レバー１８で弁体１６を弁座１５から離別させれば、容器７内の炭酸飲料はガス圧により減圧抽出部１３内を均一に流れ、サイホン管４内を昇流して抽出口６を通り、ノズル２２から抽出される。
レバー１８を放せばスプリング２１により弁体１６が弁座１５に着座し、飲料の抽出は停止する。
減圧抽出部１３では螺旋状の溝５５が炭酸飲料を通す流体通路５６を形成するので、流路断面は常に一定となり、正確な流量制御が可能となる。
【００３２】
ケース５１は軸線上の一端に開放口５７を有し、他端が端壁５８で閉塞され、この端壁５８に通孔５９が開口し、中子５２はこの開放口５７を通してケース５１に嵌合されている。中子５２をケース５１の一端の開放口５７からこのケース５１に嵌合するだけで容器７内から減圧抽出部１３を通ってサイホン管４に通じる飲料の通路が開通できる。
【００３３】
ケース５１は開放口５７側で周壁の一部が軸線方向へ突き出た一対の耳６５を備え、これらの耳６５にだぼ穴６６が穿たれ、中子５２はこのケース５１との嵌合時に耳６５を弾発してだぼ穴６６に嵌合するだぼ６７を備えている。
中子５２とケース５１はだぼ６７とだぼ穴６６の弾発係合により一体化されるので、供用中に両者が離脱することがない。
【００３４】
図３から図８は減圧抽出部の別の形態を示してある。ケース５１と中子５２は、ケース５１の内壁面５３と中子５２の外壁面５４が、両者を嵌合する方向に向かって角度θで縮径して行くテーパー面６１及び６２に形成され、かつ両者の嵌合時点で相対するケース５１の端壁５８と中子５２の端面６３間に隙間６４が形成されるようになっている。
こうすると、減圧抽出部１３の作動中、炭酸飲料の入口と出口間に発生する圧力差が中子５２をケース５１内へ押し込むので、両テーパー面６１と６２が圧着して隙間が発生せず、正確な流量制御が可能となる。
【００３５】
ケース５１と中子５２の少なくとも一方が弾性材で構成されている。
こうすると、ケース５１の内壁面５３と中子５２の外壁面５４同士の密着性が高まり、流量制御が正確となる。
【００３６】
中子５２は端面６３と反対側の端部にフランジ６８を備え、このフランジ６８は中子５２及びだぼ６７の両軸線を含む平面上に耳６５と係合するための切欠６９を備えている。
こうすると、中子５２の挿脱をこのフランジ６８に指をかけて行え、中子５２のだぼ６７とケース５１のだぼ穴６６の弾発係合も耳６５をフランジ６８の切欠６９に嵌合するだけで行える。
【００３７】
図９は減圧抽出部１３の更に別の形態を示してある。ケース５１はシール材７１を介して開放口５７を気密に閉塞自在の蓋７２を有し、溝５５は中子５２に設けられ、この溝５５の一端はケース５１の通孔５９に連通し、他端は蓋７２の周壁７３の内面に設けられた環状溝７４に連通し、この環状溝７４は周壁７３に貫設した通孔７５と連通している。
こうすると、中子５２をケース５１に入れて蓋７２で押さえるだけで、中子５２とケース５１の相対位置関係は簡単に一定に保たれて流体通路５６も確保され、特別の位置合わせは不要である。
【００３８】
【発明の効果】
本発明によれば、減圧抽出部は螺旋状の溝が炭酸飲料の通路となり、この溝はケースと中子を嵌合するだけで両者の内外壁面間に形成されるので、流路断面は常に一定となり、正確な流量制御を行え、また分解洗浄も簡単にでき、中子をケースの一端の開放口からこのケースに嵌合するだけで容器内から減圧抽出部を通ってサイホン管に通じる飲料の通路が開通でき、中子とケースはだぼ及びだぼ孔の弾発係合により一体化されるので、供用中に両者が離脱することがない。
【００３９】
請求項２によれば、減圧抽出部の作動中、炭酸飲料の入口と出口間に発生する圧力差が中子をケース内へ押し込むので、両テーパー面が圧着して隙間が発生せず、正確な流量制御を行える。
【００４０】
請求項３によれば、該ケースの該内壁面と該中子の該外壁面同士の密着性が高まり、流量制御が一層正確となる。
中子とケースはだぼ及びだぼ穴の弾発係合により一体化されるので、供用中に両者が離脱することがない。
【００４１】
請求項４によれば、中子の挿脱をこのフランジに指をかけて行え、中子のだぼとケースのだぼ穴の係合も耳をフランジの切欠に嵌合するだけで行える。
【００４２】
請求項５によれば、中子をケースに入れて蓋で押さえるだけで、中子とケースの相対位置関係は簡単に一定に保たれて流体通路も確保でき、特別の位置合わせも不要にできる。
【図面の簡単な説明】
【図１】  本発明にかかる炭酸飲料抽出器の具体例を示す一部切断正面図である。
【図２】  図１の上部の拡大図である。
【図３】  減圧抽出部の別の例の一部切断面図である。
【図４】  同端面図である。
【図５】  ケースの切断側面図である。
【図６】  中子の側面図である。
【図７】  図５のケースを、その軸線の周りに９０°回転させた状態の側面図である。
【図８】  図６の中子を、その軸線の周りに９０°回転させた状態の側面図である。
【図９】  減圧抽出部の更に別の例の一部切断面図である。
【符号の説明】
１    飲料抽出部
２    ガス供給部
３    キャップ
４    サイホン管
５    開閉弁
６    抽出口
７    容器
８    開口部
９    取付部
１０  逆止弁
１１  ガス導入路
１２  飲料導出路
１３  減圧抽出部
１５  弁座
１６  弁体
３１  本体
３２  ガスカートリッジ
３３  取付部
３４  開栓部
３５  ガス取出部
３６  減圧部
３７  ガス流出口
３８  自閉弁
５１  ケース
５２  中子
５３  内壁面
５４  外壁面
５５  溝
５６  流体通路
５７  開放口
５８  端壁
５９  通孔
６１  テーパー面
６２  テーパー面
６３  端面
６４  隙間
６５  耳
６６  だぼ穴
６７  だぼ
６８  フランジ
６９  切欠
７１  シール材
７２  蓋
７３  周壁
７４  環状溝
７５  通孔
【図１】
0004056152.tif 000002
【図２】
0004056152.tif 000003
【図３】
0004056152.tif 000004
【図４】
0004056152.tif 000005
【図５】
0004056152.tif 000006
【図６】
0004056152.tif 000007
【図７】
0004056152.tif 000008
【図８】
0004056152.tif 000009
【図９】
0004056152.tif 000010